(57)【要約】【課題】コストを抑えつつ汎用性及び組付け性に優れた電線保護カバーを提供すること。【解決手段】コネクタ１０と、コネクタ１０の端部から引き出された電線１５が通されたコルゲートチューブ３０との間に設けられてコネクタ１０からの電線１５の引き出し箇所を覆って保護する電線保護カバー１であって、電線１５が引き出されたコネクタ１０の端部の電線引出部２１に被せられて装着されるコネクタ装着部５０と、コルゲートチューブ３０の外周面を係止してコルゲートチューブ３０に装着される筒状のチューブ装着部７０と、コネクタ装着部５０とチューブ装着部７０との間を繋ぐ連結カバー部９０とが、柔軟性材料によって一体に成形されている。【選択図】図４
2020035540.tif 000002
【特許請求の範囲】
【請求項１】
コネクタと、前記コネクタの端部から引き出された電線が通されたコルゲートチューブとの間に設けられて前記コネクタからの前記電線の引き出し箇所を覆って保護する電線保護カバーであって、
前記電線が引き出された前記コネクタの端部の電線引出部に被せられて装着されるコネクタ装着部と、
前記コルゲートチューブの外周面を係止して前記コルゲートチューブに装着される筒状のチューブ装着部と、
前記コネクタ装着部と前記チューブ装着部との間を繋ぐ連結カバー部と、
を備え、
前記コネクタ装着部、前記チューブ装着部及び前記連結カバー部が柔軟性材料によって一体に成形されている
ことを特徴とする電線保護カバー。
【請求項２】
前記コネクタ装着部は、前記電線引出部に形成された係止孔に挿し込まれて前記係止孔の縁部を係止するボスを備える
ことを特徴とする請求項１に記載の電線保護カバー。
【請求項３】
前記コネクタ装着部には、係止凸部が内面に形成され、前記係止凸部は、前記電線引出部の外面に形成された係止溝に嵌合される
ことを特徴とする請求項１または請求項２に記載の電線保護カバー。
【請求項４】
前記チューブ装着部は、内周面に、周方向にわたって係合リブが形成され、前記係合リブは、前記コルゲートチューブの外周面に周方向にわたって形成された凹部に係合される
ことを特徴とする請求項１〜３のいずれか一項に記載の電線保護カバー。
【請求項５】
前記コネクタ装着部は、互いに対向する一対の平行な装着部を有し、前記装着部は、矩形状に形成された前記電線引出部の互いに反対側の二面にそれぞれ装着される
ことを特徴とする請求項１〜４のいずれか一項に記載の電線保護カバー。
【発明の詳細な説明】
【技術分野】
【０００１】
本発明は、電線保護カバーに関する。
【背景技術】
【０００２】
コネクタから引き出された電線を覆って保護するとともに、コネクタとコルゲートチューブとを繋ぐカバーがある（例えば、特許文献１参照）。また、この種のカバーとして、コネクタの略全体を覆うコネクタカバー部を備えたものも知られている（例えば、特許文献２参照）。
【先行技術文献】
【特許文献】
【０００３】
【特許文献１】特開２０１４−２７７５５号公報
【特許文献２】特開平１１−１０２７４５号公報
【発明の概要】
【発明が解決しようとする課題】
【０００４】
ところで、特許文献１に記載のカバーは、例えば、プラスチック等から成形されたもので、コネクタに組付けられるカバー本体に対して、電線の配索方向に延びるコルゲートチューブ固定部が一体に成形されている。このため、電線の配索方向毎に、カバー本体に対してコルゲートチューブ固定部の延在方向が異なる専用のカバーを作製しなければならず、汎用性に乏しい。
【０００５】
また、特許文献２に記載のカバーは、ゴム等の柔軟性材料から成形されているため、電線の配索方向に対応して屈曲させることができる。しかし、このカバーは、コネクタの相手側コネクタとの接続部を除く略全体を覆うコネクタカバー部を備えるため、材料費が嵩むとともに組付けに手間を要する。また、異なる外形のコネクタ毎に作製しなければならず、やはり汎用性に乏しい。
【０００６】
本発明は、上述した事情に鑑みてなされたものであり、その目的は、コストを抑えつつ汎用性及び組付け性に優れた電線保護カバーを提供することにある。
【課題を解決するための手段】
【０００７】
本発明の上記目的は、下記構成により達成される。
（１）  コネクタと、前記コネクタの端部から引き出された電線が通されたコルゲートチューブとの間に設けられて前記コネクタからの前記電線の引き出し箇所を覆って保護する電線保護カバーであって、
前記電線が引き出された前記コネクタの端部の電線引出部に被せられて装着されるコネクタ装着部と、
前記コルゲートチューブの外周面を係止して前記コルゲートチューブに装着される筒状のチューブ装着部と、
前記コネクタ装着部と前記チューブ装着部との間を繋ぐ連結カバー部と、
を備え、
前記コネクタ装着部、前記チューブ装着部及び前記連結カバー部が、柔軟性材料によって一体に成形されている
ことを特徴とする電線保護カバー。
【０００８】
上記（１）の構成の電線保護カバーによれば、柔軟性材料によって一体に成形されることによって屈曲性が高められる。そこで、コネクタとコルゲートチューブとの間で電線を保護しつつコネクタから引き出された電線の配索方向の自由度を高めることができる。これにより、電線の配索方向に応じて専用の形状に形成する必要がなく、汎用性を高めることができる。
更に、本構成の電線保護カバーは、コネクタの端部の電線引出部にコネクタ装着部が被せられることでコネクタに装着され、チューブ装着部にコルゲートチューブの端部が挿し込まれることでコルゲートチューブに装着される。そこで、本構成の電線保護カバーは、コネクタ及びコルゲートチューブへの組付け性を高めることができる。また、本構成の電線保護カバーは、コネクタの略全体を覆う構造と比較し、材料を削減して製造コストを低減させることができる。また、本構成の電線保護カバーは、コネクタ装着部が装着されるコネクタの電線引出部の形状を、各種のコネクタで共通形状とすることで、汎用性をさらに高めることができる。
【０００９】
（２）  前記コネクタ装着部は、前記電線引出部に形成された係止孔に挿し込まれて前記係止孔の縁部を係止するボスを備える
ことを特徴とする上記（１）に記載の電線保護カバー。
【００１０】
上記（２）の構成の電線保護カバーによれば、コネクタの電線引出部に形成された係止孔へコネクタ装着部のボスを挿し込むことで、コネクタ装着部をコネクタの電線引出部へ容易にかつ確実に装着することができる。
【００１１】
（３）  前記コネクタ装着部には、係止凸部が内面に形成され、前記係止凸部は、前記電線引出部の外面に形成された係止溝に嵌合される
ことを特徴とする上記（１）または（２）に記載の電線保護カバー。
【００１２】
上記（３）の構成の電線保護カバーによれば、コネクタの電線引出部に形成された係止溝へコネクタ装着部の係止凸部を嵌合させることで、コネクタ装着部をコネクタの電線引出部へ周方向にわたってバランス良く装着することができる。
【００１３】
（４）  前記チューブ装着部は、内周面に、周方向にわたって係合リブが形成され、前記係合リブは、前記コルゲートチューブの外周面に周方向にわたって形成された凹部に係合される
ことを特徴とする上記（１）〜（３）のいずれか一つに記載の電線保護カバー。
【００１４】
上記（４）の構成の電線保護カバーによれば、コルゲートチューブの外周面の凹部にチューブ装着部の係合リブを係合させることで、チューブ装着部をコルゲートチューブへ容易にかつ確実に装着することができる。
【００１５】
（５）  前記コネクタ装着部は、互いに対向する一対の平行な装着部を有し、前記装着部は、矩形状に形成された前記電線引出部の互いに反対側の二面にそれぞれ装着される
ことを特徴とする上記（１）〜（４）のいずれか一つに記載の電線保護カバー。
【００１６】
上記（５）の構成の電線保護カバーによれば、例えば、断面矩形状の電線引出部の幅寸法が異なる各種のコネクタに対して共通の電線保護カバーを装着することができ、汎用性をさらに向上させることができる。
【発明の効果】
【００１７】
本発明の電線保護カバーによれば、コストを抑えつつ汎用性及び組付け性に優れた電線保護カバーを提供できる。
【００１８】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１９】
【図１】本発明の一実施形態に係る電線保護カバーを示す図であって、（ａ）は電線保護カバーが装着されたコネクタの前方側から視た斜視図、（ｂ）は電線保護カバーが装着されたコネクタの後方側から視た斜視図である。
【図２】図１に示した電線保護カバーを示す図であって、（ａ）は電線保護カバーが装着されたコネクタの平面図、（ｂ）は電線保護カバーが装着されたコネクタの側面図である。
【図３】図１に示したコネクタ、電線保護カバー及びコルゲートチューブの分解斜視図である。
【図４】図２の（ａ）におけるＡ−Ａ断面図である。
【図５】図３に示した電線保護カバーを示す図であって、（ａ）はコネクタ装着部側から視た斜視図、（ｂ）はチューブ装着部側から視た斜視図である。
【図６】（ａ），（ｂ）は図５に示した電線保護カバーの水平方向に沿う断面図及び鉛直方向に沿う断面図である。
【図７】本発明の変形例に係る電線保護カバーのコネクタ装着部側から視た斜視図である。
【図８】本発明の他の変形例に係る電線保護カバーを示す図であって、（ａ）はコネクタ装着部側から視た斜視図、（ｂ）は鉛直方向に沿って切断した状態のコネクタ装着部側から視た斜視図である。
【発明を実施するための形態】
【００２０】
以下、本発明に係る実施の形態の例を、図面を参照して説明する。
図１は、本発明の一実施形態に係る電線保護カバー１を示す図であって、図１の（ａ）は電線保護カバー１が装着されたコネクタ１０の前方側から視た斜視図、図１の（ｂ）は電線保護カバー１が装着されたコネクタ１０の後方側から視た斜視図である。図２は、図１に示した電線保護カバー１を示す図であって、図２の（ａ）は電線保護カバー１が装着されたコネクタ１０の平面図、図２の（ｂ）は電線保護カバー１が装着されたコネクタ１０の側面図である。図３は、図１に示したコネクタ１０、電線保護カバー１及びコルゲートチューブ３０の斜視図である。図４は、図２の（ａ）におけるＡ−Ａ断面図である。
【００２１】
図１〜図４に示すように、本発明の一実施形態に係る電線保護カバー１は、コネクタ１０の後端に装着され、コネクタ１０から引き出された電線１５を覆って保護するとともに、コネクタ１０の後端とコルゲートチューブ３０とを繋げている。
【００２２】
この電線保護カバー１が装着されるコネクタ１０は、絶縁性の合成樹脂により成形されたハウジング１１を備えている。ハウジング１１は、内部にコネクタ部１２を有するハウジング本体１３と、ハウジング本体１３の後端部に設けられた電線引出部２１とを有している。
【００２３】
コネクタ部１２には、複数の端子収容部１４が形成されており、これらの端子収容部１４には、電線１５の端部に接続された接続端子１６が収容されている。接続端子１６に接続された電線１５は、電線引出部２１から引き出され、束ねられて電線束１７とされている。
【００２４】
このコネクタ１０は、図示しない相手側コネクタに嵌合されることで、端子収容部１４内の接続端子１６が相手側コネクタの接続端子と電気的に接続される。このコネクタ１０のハウジング１１には、その上部に、ロックアーム１８が設けられており、嵌合された相手側コネクタのロック部をロックアーム１８が係止することで相手側コネクタのハウジングとの嵌合状態が維持される。
【００２５】
このコネクタ１０の電線引出部２１は、図３に示すように、断面矩形状の筒状に形成されており、その縁部には、外方へ張り出す突条部２２が周方向にわたって形成されている。これにより、電線引出部２１には、ハウジング本体１３と突条部２２との間に、周方向にわたる係止溝２３が形成されている。また、電線引出部２１の係止溝２３には、一対の係止孔２４が形成されている。これらの係止孔２４は、それぞれ係止溝２３における上下対向位置に形成されている。
【００２６】
コルゲートチューブ３０は、絶縁性の合成樹脂により成形されたもので、中空形状に形成されている。コルゲートチューブ３０には、複数本の電線１５からなる電線束１７が挿通される。これにより、電線束１７の電線１５は、コルゲートチューブ３０で保護される。
【００２７】
図２に示すように、コルゲートチューブ３０は、その外周面に、周方向にわたる複数の凹部３２と凸部３３とが軸線方向に交互に形成された蛇腹形状とされている。これにより、図４に示すように、コルゲートチューブ３０は、その内周面に、外周面側の凸部３３に対応する位置に周方向にわたる凹部３４が形成され、外周面側の凹部３２に対応する位置に周方向へわたる凸部３５が形成されている。
【００２８】
次に、コネクタ１０とコルゲートチューブ３０とを繋ぐ本実施形態に係る電線保護カバー１について詳述する。
図５は、図３に示した電線保護カバー１を示す図であって、図５の（ａ）はコネクタ装着部側から視た斜視図、図５の（ｂ）はチューブ装着部側から視た斜視図である。図６の（ａ），（ｂ）は、図５に示した電線保護カバー１の水平方向に沿う断面図及び鉛直方向に沿う断面図である。
【００２９】
図５及び図６に示すように、電線保護カバー１は、コネクタ装着部５０と、チューブ装着部７０と、連結カバー部９０とを有している。この電線保護カバー１は、コネクタ装着部５０、チューブ装着部７０及び連結カバー部９０が、例えば、シリコンやゴム等の柔軟性材料によって一体に成形されている。
【００３０】
コネクタ装着部５０は、断面矩形状の筒状に形成されている。コネクタ装着部５０には、その内側に、内方へ突出する所定幅（係止溝２３の溝幅と同等）の係止凸部５１が周方向にわたって形成されている。係止凸部５１は、コネクタ１０の電線引出部２１に形成された係止溝２３の外形と略同一の内形を有している。このコネクタ装着部５０には、係止凸部５１に、一対のボス５２が形成されている。これらのボス５２は、互いに対向位置（本実施形態では、コネクタ装着部５０の互いに対向する長辺部分）に形成され、互いに近接する方向へ突出されている。ボス５２には、その先端部に、径方向外方へ張り出す係止部５３が形成されている。
【００３１】
チューブ装着部７０は、円筒状に形成されている。チューブ装着部７０は、コルゲートチューブ３０の外径とほぼ同一の内径を有している。チューブ装着部７０は、その内周面に、複数（本例では二つ）の係合リブ７１を有している。これらの係合リブ７１は、内方へ向かって突出されており、周方向にわたって形成されている。これらの係合リブ７１は、軸方向のピッチが、コルゲートチューブ３０の外周面に形成された凹部３２と同一ピッチとされている。
【００３２】
連結カバー部９０は、コネクタ装着部５０と、チューブ装着部７０との間に設けられている。連結カバー部９０は、コネクタ装着部５０側が断面矩形状に形成され、チューブ装着部７０側が断面円形状に形成されている。連結カバー部９０は、断面矩形状のコネクタ装着部５０側からチューブ装着部７０側へ向かって次第に窄まりながら断面形状が円形状となるように形成されている。
【００３３】
次に、電線保護カバー１をコネクタ１０及びコルゲートチューブ３０に装着する場合について説明する。
【００３４】
（コネクタ１０への装着）
コネクタ１０に電線保護カバー１を装着するには、電線保護カバー１のコネクタ装着部５０を広げ、コネクタ１０の電線引出部２１に被せる。このとき、電線引出部２１の係止溝２３に形成された係止孔２４の位置にボス５２を合わせる。そして、ボス５２を係止孔２４へ挿し込むとともに、コネクタ装着部５０の係止凸部５１を電線引出部２１の係止溝２３に嵌め込む。すると、コネクタ装着部５０の係止凸部５１が電線引出部２１の係止溝２３に係合するとともに、係止孔２４に挿し込まれたボス５２の係止部５３が係止孔２４の縁部を係止する。これにより、コネクタ１０の電線引出部２１に、電線保護カバー１のコネクタ装着部５０が装着される。
【００３５】
（コルゲートチューブ３０への装着）
コルゲートチューブ３０に電線保護カバー１を装着するには、電線保護カバー１のチューブ装着部７０にコルゲートチューブ３０の端部を挿し込む。すると、チューブ装着部７０に挿し込まれたコルゲートチューブ３０は、その外周にチューブ装着部７０の内周面が密着されるとともに、係合リブ７１がコルゲートチューブ３０の外周面に形成された凹部３２に係合する。これにより、コルゲートチューブ３０の端部に、電線保護カバー１のチューブ装着部７０が装着される。
【００３６】
上記のようにしてコネクタ１０及びコルゲートチューブ３０に電線保護カバー１を装着すると、コネクタ１０の電線引出部２１とコルゲートチューブ３０との間における電線束１７の電線１５が電線保護カバー１によって覆われて保護される。
【００３７】
ここで、電線保護カバー１は、シリコンやゴム等の柔軟性材料から形成されているので、電線保護カバー１を弾性変形させることで、コネクタ１０の電線引出部２１から引き出された電線束１７の電線１５をあらゆる方向へ無理なく配索することができる。
【００３８】
以上、説明したように、本実施形態に係る電線保護カバー１によれば、柔軟性材料によって一体に成形されることによって屈曲性が高められる。そこで、電線保護カバー１は、コネクタ１０とコルゲートチューブ３０との間で電線１５を保護しつつコネクタ１０から引き出された電線１５の配索方向の自由度を高めることができる。これにより、電線保護カバー１は、電線１５の配索方向に応じて専用の形状に形成する必要がなく、汎用性を高めることができる。
【００３９】
更に、本実施形態に係る電線保護カバー１は、コネクタ１０の端部の電線引出部２１にコネクタ装着部５０が被せられることでコネクタ１０に装着され、チューブ装着部７０にコルゲートチューブ３０の端部が挿し込まれることでコルゲートチューブ３０に装着される。そこで、本実施形態に係る電線保護カバー１は、コネクタ１０及びコルゲートチューブ３０への組付け性を高めることができる。また、本実施形態に係る電線保護カバー１は、コネクタ１０の略全体を覆う構造と比較し、材料を削減して製造コストを低減させることができる。また、本実施形態に係る電線保護カバー１は、コネクタ装着部５０が装着されるコネクタ１０の電線引出部２１の形状を、各種のコネクタ１０で共通形状とすることで、汎用性をさらに高めることができる。
【００４０】
また、本実施形態に係る電線保護カバー１は、コネクタ１０の電線引出部２１に形成された係止孔２４へコネクタ装着部５０のボス５２を挿し込むことで、コネクタ装着部５０をコネクタ１０の電線引出部２１へ容易にかつ確実に装着することができる。
【００４１】
さらに、本実施形態に係る電線保護カバー１は、コネクタ１０の電線引出部２１に形成された係止溝２３へコネクタ装着部５０の係止凸部５１を嵌合させることで、コネクタ装着部５０をコネクタ１０の電線引出部２１へ周方向にわたってバランス良く装着することができる。
【００４２】
しかも、本実施形態に係る電線保護カバー１は、コルゲートチューブ３０の外周面の凹部３２にチューブ装着部７０の係合リブ７１を係合させることで、チューブ装着部７０をコルゲートチューブ３０へ容易にかつ確実に装着することができる。
【００４３】
次に、本実施形態に係る電線保護カバー１の変形例を説明する。
図７は、本発明の変形例に係る電線保護カバー１Ａのコネクタ装着部側から視た斜視図である。
図７に示すように、変形例に係る電線保護カバー１Ａは、コネクタ装着部５０の左右両側が除去されている。これにより、コネクタ装着部５０は、それぞれボス５２を有する長辺部分からなる一対の平行な装着部５０ａが形成されている。
【００４４】
この変形例に係る電線保護カバー１Ａでは、電線引出部２１の互いに反対側の二面である上下面において、コネクタ装着部５０の互いに平行な各装着部５０ａの係止凸部５１を、係止溝２３へ嵌め込むとともに、各装着部５０ａのボス５２を係止孔２４へ挿し込む。すると、コネクタ装着部５０の各装着部５０ａの係止凸部５１が電線引出部２１の係止溝２３に係合するとともに、係止孔２４に挿し込まれたボス５２の係止部５３が係止孔２４の縁部を係止する。これにより、コネクタ１０の電線引出部２１に、電線保護カバー１Ａのコネクタ装着部５０が装着される。
【００４５】
上記の変形例に係る電線保護カバー１Ａによれば、断面矩形状に形成された電線引出部２１の幅寸法が異なる各種のコネクタ１０に対して共通の電線保護カバー１Ａを装着することができ、汎用性をさらに向上させることができる。
【００４６】
上記実施形態では、コネクタ１０の断面略長方形状に形成された電線引出部２１に電線保護カバー１，１Ａを装着する場合を例示したが、他の断面形状の電線引出部２１に装着可能なものでもよい。
図８は、本発明の他の変形例に係る電線保護カバー１Ｂを示す図であって、（ａ）はコネクタ装着部側から視た斜視図、（ｂ）は鉛直方向に沿って切断した状態のコネクタ装着部側から視た斜視図である。
図８に示すように、他の変形例係る電線保護カバー１Ｂは、コネクタ装着部５０を円筒形状に形成することで、電線引出部２１が断面円形状に形成されたコネクタに装着することができる。
【００４７】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
例えば、コネクタ装着部５０に設けるボス５２及びチューブ装着部７０に設ける係合リブ７１の形成数は二つに限らず、一つでもよく、また、三つ以上でもよい。
【００４８】
ここで、上述した本発明に係る電線保護カバーの実施形態の特徴をそれぞれ以下［１］〜［５］に簡潔に纏めて列記する。
［１］  コネクタ（１０）と、前記コネクタ（１０）の端部から引き出された電線（１５）が通されたコルゲートチューブ（３０）との間に設けられて前記コネクタ（１０）からの前記電線（１５）の引き出し箇所を覆って保護する電線保護カバーであって、
前記電線（１５）が引き出された前記コネクタ（１０）の端部の電線引出部（２１）に被せられて装着されるコネクタ装着部（５０）と、
前記コルゲートチューブ（３０）の外周面を係止して前記コルゲートチューブ（３０）に装着される筒状のチューブ装着部（７０）と、
前記コネクタ装着部（５０）と前記チューブ装着部（７０）との間を繋ぐ連結カバー部（９０）と、
を備え、
前記コネクタ装着部（５０）、前記チューブ装着部（７０）及び前記連結カバー部（９０）が柔軟性材料によって一体に成形されている
ことを特徴とする電線保護カバー（１，１Ａ，１Ｂ）。
［２］  前記コネクタ装着部（５０）は、前記電線引出部（２１）に形成された係止孔（２４）に挿し込まれて前記係止孔（２４）の縁部を係止するボス（５２）を備える
ことを特徴とする上記［１］に記載の電線保護カバー（１，１Ａ，１Ｂ）。
［３］  前記コネクタ装着部（５０）には、係止凸部（５１）が内面に形成され、前記係止凸部（５１）は、前記電線引出部（２１）の外面に形成された係止溝（２３）に嵌合される
ことを特徴とする上記［１］または［２］に記載の電線保護カバー（１，１Ａ，１Ｂ）。
［４］  前記チューブ装着部（７０）は、内周面に、周方向にわたって係合リブ（７１）が形成され、前記係合リブ（７１）は、前記コルゲートチューブ（３０）の外周面に周方向にわたって形成された凹部（３２）に係合される
ことを特徴とする上記［１］〜［３］のいずれか一つに記載の電線保護カバー（１，１Ａ，１Ｂ）。
［５］  前記コネクタ装着部（５０）は、互いに対向する一対の平行な装着部（５０ａ）を有し、前記装着部（５０ａ）は、矩形状に形成された前記電線引出部（２１）の互いに反対側の二面にそれぞれ装着される
ことを特徴とする上記［１］〜［４］のいずれか一つに記載の電線保護カバー（１Ａ）。
【符号の説明】
【００４９】
１，１Ａ，１Ｂ…電線保護カバー
１０…コネクタ
１５…電線
２１…電線引出部
２３…係止溝
２４…係止孔
３０…コルゲートチューブ
３２…凹部
５０…コネクタ装着部
５０ａ…装着部
５１…係止凸部
５２…ボス
７０…チューブ装着部
７１…係合リブ
９０…連結カバー部
【図１】
2020035540.tif 000003
【図２】
2020035540.tif 000004
【図３】
2020035540.tif 000005
【図４】
2020035540.tif 000006
【図５】
2020035540.tif 000007
【図６】
2020035540.tif 000008
【図７】
2020035540.tif 000009
【図８】
2020035540.tif 000010